(57)【要約】【課題】不特定多数の人が出入りする病院等で使用者のバイオメトリックス情報を用いて貴重品収納ボックスや金庫の開錠を行うことにより、入院患者が自己の財産関係帳票や現金を身近に安全に保管出来るようにする。【解決手段】生態特徴情報の照合で開錠する電子錠付金庫をベッド及びベッド附属収納庫に溶接又は逆回転防止ネジやビスで取り付け、コンピュータシステムの暗証番号で使用者を特定すると同時に使用者本人が覚醒中で金庫のそばに居ることの確認を的確に行えるようにした。更にコンピュータシステムで使用可能時間帯の設定や金庫開錠時の状況を使用者の応答で監視させ異常時にステーションの管理者に知らせることで、第３者による開錠や金庫の取り外しが不可能となる。従って、病院や介護施設等の不特定多数の人が出入りする部屋で療養生活をする人が安全に貴重品を常に身近に保管、管理することが出来る。【選択図】図２
2005185628.tif 000002
【特許請求の範囲】
【請求項１】
生態特徴認識センサー情報で開錠する電子錠付金庫を取り外し不可能なように固定したベッド及び附属収納庫。
【請求項２】
金庫の開錠可能の時間帯が使用者本人の睡眠時間帯を避け覚醒時の時間帯に限るため、生態特徴認識センサー情報及び暗証番号でコンピュータシステムにログインすることで開錠できる電子錠付金庫を組込んだ請求項１のベッド及びベッド附属収納庫。
【請求項３】
金庫の開錠可能の時間帯が使用者本人の睡眠時間帯を避け覚醒時の時間帯に限るため、就寝中の使用者の手が届く範囲外に指紋認識センサーを設置することを特徴とする電子錠付金庫を組込んだ請求項１のベッド及びベッド附属収納庫。
【請求項４】
生態特徴認識センサー情報のうち瞳孔の虹彩パターン及び網膜の毛細血管で識別する「網膜パターン」認証により、金庫の開錠可能の時間帯が使用者本人の睡眠時間帯を避け覚醒時の時間帯に限る電子錠付金庫を組込んだ請求項１のベッド及びベッド附属収納庫。
【発明の詳細な説明】
【技術分野】
【０００１】
本発明は、指紋、虹彩模様認識センサー等の生態特徴認識センサー情報で作動するコンピュータシステムにより開錠する金庫を組み込んだベッド及びその附属収納庫に関するものである。
【背景技術】
【０００２】
高年齢化社会が進み在宅高齢者及び養護施設で暮らす人に加えて、病を得て入院せざるを得ない高齢者が増加している。同時に病院や施設内での盗難被害が増加しつつあり問題化している。また、高齢者はいずれも資産を保有しており資産管理のセキュリティが気になるところであり、できるだけ身近に資産関連中票や現金を保管、保有したいと考えている人が増加している。そこで安心して資産関係書類及び帳票や現金を保管できる金庫の需要が増加しており、金庫の開閉のセキュリティと金庫そのものの保管のセキュリティを同時に兼ね備えた対策が必要となっている。従来から金庫を組込んだベッドや床頭台（ナイトテーブル）、チェスト等のベッド附属収納庫は一部で用いられており、一応のセキュリティは守られていた。また金庫の鍵も生態特徴認識センサーで作動する電子錠式の物も出回り始めた。
【０００３】
金庫を鍵によらないで開錠する方法として、最近指紋認識装置で個人を特定し小型センサーに指で触れると、その指紋を認識し、登録した指紋と照合しログインまでを実行する入力ソフトを備えたコンピュータで作動する金庫も発売されている。また、アプリケーションを自動的に起動させたり暗証番号でログインすることもできる。しかし生態認識センサーで作動する電子錠付金庫を取り付けたベッド及びベッド附属収納庫はまだ現実に存在せず文献及び特許等もない。
【０００４】
病院や養護施設等への入院時には不特定多数の人と接触する機会が多く通常の鍵で開錠する金庫では鍵そのものの保管が困難であり、第３者に悪用される不安が大きい。また金庫の置き場も貴重品収納箱式でベッドから離れた場所に置かれている場合が多く、金庫を取り付けたベッドはあってもベッドや収納庫に取りつける場合にビスやボルト止めによる方法が採用されており、金庫ごと取り外される危険があった。
【０００５】
また、指紋認識等の生態特徴認識センサーで個人を特定する方法も、家庭内における寝たきり療養者や高齢者にとって、自己の貴重品等は常に身近においておきたいという思いや従来のタイプの移動可能な家庭用金庫の不安の解消にはつながるが、夜間の不安の解消にはならない。すなわち指紋照合による開閉電子錠においては、指先に鍵をぶら下げているようなものであり、それも病院のような誰しもがそのシステムを周知している場所においては、消灯睡眠時間帯に指紋を採られたり指をセンサーにあてがわれたりする危険があり、もっとも不安を感じる時間帯である。
【０００６】
この改善策として、金庫を金属製フレームベッドに直接溶接したり、木製ベッドや床頭台及びチェストにあっては逆回転できないビスやねじを用いて金庫を固定する方法がある。
【０００７】
就寝中に第３者による指紋の盗用による開錠防止策としては、指紋認識センサーの取り付け位置又は設置場所を使用者の就寝中の手の届く範囲外に置くことで解決できる。
【０００８】
金庫の開錠可能の時間帯が使用者本人の睡眠時間帯を避け覚醒時の時間帯に限るため、指紋、虹彩パターン等の生態特徴認識装置で認識情報をコンピュータシステムに組み込むことで開錠可能時間帯を昼間の時間帯に設定したり、特に、暗証番号によりログインする方法を組み合わせることで使用者が覚醒中か就寝中かの判別が可能となり、使用者の不安を解消することができる。
【０００９】
更に、瞳孔で識別する「虹彩（アイリス）」認証システムを使用することで就寝中のセキュリティは非常に向上させることができる。
【特許文献１】特開平−１２７４２２号公報
【非特許文献１】オムロンカタログ  「指紋認証システム」
【非特許文献２】沖テクニカルレビュー189号Vol.169No.1「アイリス認証セキュリティシステム」
【発明の開示】
【発明が解決しようとする課題】
【００１０】
解決しようとする問題点は、高齢者特に病院、養護施設に入院中の人の資産保管のセキュリティが確保されていないことによる不安が多きこと、及び貴重品等の盗難が後を絶たないことである。
【課題を解決するための手段】
【００１１】
本発明は、ベッドを主たる生活の場とする高齢者にとって、保有資産関係書類や帳票及び現金等を安全に身近に置いておきたいという願いを実現するものである。そのためにまず貴重品収納庫としての金庫をベッド及びベッド付属品である床頭台やチェストに溶接又は逆回転不能のビス及びネジで取り付けること。本人を特定する指紋、虹彩等の生態特徴認識センサーで作動するコンピュータシステムで開錠する電子錠を金庫に取り付けたものとすること。及び使用者本人が就寝中に開錠できないように、指紋訪問センサーにあっては就寝中に指紋を第３者に採られたりセンサーに接触させられたりできないように、就寝位置から手の届かない位置や場所に設置すること。コンピュータシステムに夜間には作動しないよう設定しておきその設定解除等の制御をナースステーション等の集中管理室で本人確認後行う等の２重の安全策が取れるものとすること。これらに加えて、暗証番号を打ち込まないとコンピュータシステムにログインできないようにすることで、使用者本人が覚醒中であることを確認したうえでシステムが作動して開錠信号がでるようにしたことを主な特徴とする。特に、虹彩パターン又は網膜毛細血管パターンを生態特徴情報とするシステムは覚醒中でないと使用出来ないため、夜間就寝中のセキュリティは非常に高いものとなる。これに暗証番号ログインを加えることで夜間の安全性は非常に向上する。このように身近に貴重品を常に保管する手段としてバイオメトリックス情報で作動する電子錠付金庫をベッドに脱着できないように取り付けたこと、及びコンピュータシステムで開錠システムを管理したことを最も主要な特徴とする。
【発明の効果】
【００１２】
本発明のバイオメトリックス情報で作動する電子錠付金庫を組み込んだベッドはコンピュータシステムで作動させることができるため、保有者個人を特定することができるので非常に安全な仕方で個人の資産関係書類や帳票類及び現金等の資産を身近に保管できるものである。
【発明を実施するための最良の形態】
【００１３】
病院や養護施設等の不特定多数の人が出入りする施設に入院中の人が保有している資産関係帳票や現金を安全に身近に保管したいという目的を、可能な限り身近な場所としてベッド及びベッド附属収納庫に逆回転防止立て込みボルトやビス又はネジで取り外しできないように取り付けた物とすること。そして、第３者が就寝中の金庫使用者本人の指や掌を生態特徴認識センサーにあてがえないように、コード付センサーの使用を避け金庫に組み込むこととし、金庫本体を就寝中の使用者の手が届かない位置に設置して金庫の開錠可能の時間帯が使用者本人の覚醒時間帯に限ることとする。生態特徴センサー状報に加えて、暗証番号でログインできるコンピュータシステムで開錠できる電子錠を組み込んだ金庫とすることで実現した。生態特徴認識センサーが虹彩又は網膜毛細血管パターン認識装置であれば就寝中の悪用を完全に防止できるため、暗証番号との組み合わせたコンピュータシステムで作動する電子錠が最も安全である。
【００１４】
生態特徴センサーが指紋認識センサーにあっては、第３者が就寝中の金庫使用者の手から指紋を直接採取したり、コップ等への付着指紋を間接的に採取して偽装指紋を作成してセンサーにあてがい金庫を開錠する危険を防止するため、センサーに指先の立体形状を表す曲率情報と体温を表す温度情報、更には心拍を表す脈動情報もあわせて検出できる機能を持つものであることが望ましい。
【実施例１】
【００１５】
図１は、本発明の指紋認識装置を組み込んだ金属製金庫である。図１の１は指紋認識センサーで任意の指の指紋を認識しコンピュータシステムに登録を行う、図１の２は貴重品収納ボックスで通常の引き出し式の箱である。
【００１６】
図２は実施例１のベッドであって、図１の金庫を鉄製ベッドのフレーム３に溶接又は逆回転防止立て込みボルトで固定した状況を示す。また図３は木製ベッドの木製フレーム４に逆回転防止ビス又はネジで取り付けた状況を示す。
【００１７】
図４はベッドへ金庫を取り付ける場合の取り付け位置の範囲を示す。すなわち使用者本人が就寝中に第３者が就寝中の金庫使用者の指や掌を強制的に指紋センサーにあてがい金庫を開くことが出来ない様に、就寝中の使用者の手の届く範囲外にセンサーを設置するために、センサーは金庫組み込み式とする。金庫を取り付ける場所はベッドの下部で足元側の端部側で矢印の範囲すなわち図のハッチング部分５の範囲とする。
【実施例２】
【００１８】
図５は暗証番号打ち込みテンキー６を金庫本体に組み込んだ例である。暗証番号を打ち込む場合は当然覚醒中であり使用者しか知りえない訳であるから金庫の設置場所はベッド上で休養中の使用者の手が届く範囲でも安全は守られ、金庫全体をコンパクトにまとめることができる。また、金庫は木製、鉄製を問わず取り付けることができるほか床頭台やチェスト等のベッド周辺の附属収納庫にも取り付けたり組み込んだり出来る。
【００１９】
図６はリード線付テンキー７の例である。リード線を金庫またシステム回線に接続して使用する。暗証番号を打ち込む場合は当然覚醒中であり使用者しか知りえない訳であるからテンキーは使用者の手の届く便利な場所においても差し支えない。
【００２０】
図７は木製ベッド４に生態特徴認識センサー１とテンキー６を一体的に組み込んだ金庫を取り付けた例である。図7では木製ベッドを示したが金属製ベッドでも差し支えない。テンキー使用時は当然覚醒中であるから金庫の取り付け位置の制限はない。
【００２１】
図８は収納棚付木製ベッド（宮付ベッド）の収納棚８に生態特徴認識センサー１とテンキー６を一体的に組み込んだ金庫を取り付けた例である。テンキー使用時は当然覚醒中であるから金庫は枕もとの収納棚に組み込むことが出来る。また、テンキーはリード線付の物として任意の場所で使用することも可能である。
【００２２】
図９は床頭台９に生態特徴認識センサー１とテンキー６を一体的に組み込んだ金庫を取り付けた例  である。テンキー使用時は当然覚醒中であるから金庫は枕もとの収納棚に組み込むことが出来る。また、テンキーはリード線付の物として任意の場所で使用することも可能である。なお、床頭台は比較的小型のため床頭台ごと盗難の恐れがあるため、建物自体に固定しておく。
【００２３】
図１０はベッド附属チェスト７に生態特徴認識センサー１とテンキー６を一体的に組み込んだ金庫を取り付けた例である。テンキー使用時は当然覚醒中であるから金庫はチェストに組み込むことが出来る。また、テンキーはリード線付の物として任意の場所で使用することも可能である。なお、チェストは比較的小型のためチェストごと盗難の恐れがあるため、建物自体に固定しておく。
【実施例３】
【００２４】
図１１は生態特徴認識センサーとしてアイリス（虹彩パターン認識センサー）の覗き窓１２と認証開始スイッチ１１を一体に備えたアイリス撮影用カメラを組み込んだ金庫を金属製フレームベッドに溶接した金庫取り付け金具を介して取り付けた例である。金庫に取り付け金具を溶接して逆回転防止ボルトで立て込み固定または溶接固定する。アイリス撮影用カメラ組み込み金庫の開錠時は当然覚醒中であるから金庫は鉄製ベッドのフレームの覗き込みやすい場所に取り付ける。この場合は金庫全体が使用者の目の高さに位置してその存在があからさまになり、重要書類や現金の出し入れを衆目の中で行うことになり心理的圧迫感を招きかねない。そこでアイレス認識装置を金庫から切り離して、リード線で金庫またはコンピュータシステム回線と接続し、金庫本体はベッドの下部等の目立たないところに取り付け、カメラだけを覗き込みやすい位置に設置するか又は自由なところに保管し、使用するときに取り出して覗き込み瞳孔パターンや網膜パターンを読み取らせる方法もある。
【００２５】
図１２は木製ベッドに生態特徴認識センサーとしてアイリス（虹彩パターン、認識センサー）の覗き窓１２と認証開始スイッチ１１を一体に備えたアイリス撮影用カメラを組み込んだ金庫を宮付ベッドの飾り棚１３に組み込んだ例である。この場合も金庫の位置が衆目の位置にあることを避けるため、カメラと金庫を切り離してリード線でお互いに離れた場所に設置することができ、アイリス撮影用カメラを飾り棚の覗き込みやすい位置に設置してリード線で自由に移動出来るようにしてもよい。金庫は木製ベッドのフレームの下等の目立たないところに取り付けてもよい。またアイリスパターン認識時は覚醒中に限るため指紋認識装置による場合と違って暗証番号の併用は必ず必要ではないが安全の向上のために暗証番号入力用テンキー６も同時に使用することも出来る。このとき、テンキーの位置はアイリスカメラと一体にしてもよく、また飾り棚に固定してリード線で自由な位置から入力することも出来る。
【００２６】
図１３にコンピュータシステムのブロック図を示す。各病室に設置されているベッド１５にはバイオメトリックスセンサーと暗証番号入力テンキーが設置されており各ベッドからバイオメトリックスパターン情報と暗証番号がナースステーション又はサービスステーションに設置されているコンピュータ１３に送られてくる。コンピュータには入院時にバイオメトリックス情報登録機１４であらかじめ登録されているバイオメトリックスパターン及び暗証番号と入力信号を比較し合致するとログオン状態になり電子錠のソレノイド又はモーターを作動させて開錠する。使用者は金庫の引き出し式収納ボックスを引き出し貴重品の出し入れを行い、用が済めば引き出しを押し込めば自動的に電子錠が閉になる。
【００２７】
なお、コンピュータシステムには金庫の開閉可能時間帯の設定や開閉記録等の管理を行うことが出来る。これにより、もし金庫の収納ボックスを閉め忘れた場合の安全措置として一定時間後使用者に信号を送り使用者からの応答を確認し、応答のない場合に自動的に閉にしてステーションの管理者に確認を促がす等の管理を行うことができる。
【００２８】
図１４に逆回転防止ビス又はネジの回転部の詳細と金属製金庫の取り付け部の詳細を示す。回転部はマイナスドライバーで右回りに回転させることができる形状で、ビスやネジは右回りでねじ込んでいく螺旋ネジを有する。しかし左周りにはマイナスドライバーは回転部の山に乗り上げ左に回転させることが出来ないため金庫を取り外せない。したがって図１４のような取り付け金具が外に出ていても金庫は簡単に取り外せない。より安全な取り付け方として収納ボックスをぬきさった内部に取り付け穴を設け、内部からビスナットを差し込んでベッドフレームにねじ込み固定する方法がより望ましい。この方法では金庫の電子錠を開にして収納ボックスを取り外さない限り、金庫をベッドや附属収納庫から取り外すことが出来ない。
【００２９】
このような生態特徴情報を採用した電子錠組み込み金庫をベッド及びベッド周辺の附属収納庫に取り外せないように直接取り付け、コンピュータシステムにより暗証番号と生態特徴情報の２重の照合で使用者の特定を的確に行ったうえで使用者本人が覚醒中で金庫のそばに居ないと開錠できなくした。更にコンピュータシステムで使用時間帯や金庫開錠時の安全面の確認レベルを設定すると共にステーションの管理者を含めた使用状況の管理を行い、第３者による開錠や金庫の取り外しが不可能となった。従って、病院や介護施設等の不特定多数の人が出入りする部屋で療養生活をする人が貴重品を常に身近に置いて安心して安全に管理することが出来る。
【００３０】
図１３の実施例は、既存のベッドすべてに適用が可能である。すなわち、生態特徴認識センサーを組み込んだ電子錠付金庫をセンサーの種類とベッド材質に応じてベッドの適当な場所に取り外しできないように取り付け、インターフェースを介してナースステーションのコンピュータに接続するだけでシステムの構築が可能となる。
【００３１】
また、図１３の実施例は個人家庭用の単独のベッドにあっては金庫周辺又は金庫にバイオメトリックス情報記憶装置を設置することでシステムの構築が出来る。
【実施例４】
【００３２】
図１５は従来タイプの引き出し式金属製セフティボックスである。この図の鍵はプラスチック製の穴開きキー１８が用いられ、穴の開いた携行用プラスチック板とこの穴位置に符号する穴を開けた金庫側用プラスチック板からなり、使用者は金庫使用に際してこのプラスチックキーを携行側と金庫側に分離して使用する。この金庫にはマスターキーが用いられ、金庫の管理者が保管しており金庫使用者が変わるたびに金庫側のプラスチック板を取り出し新しいプラスチックキーと交換する。このタイプの金庫の開閉を電子錠で行なったり、バイオメトリックス認識装置を組み込んで開閉のセキュリティを向上させたものは存在するが、そのようなバイオメトリックス認識装置を組み込んだ電子錠付金庫をベッドやベッド附属収納庫に組み込ませ暗証番号テンキーとともにコンピュータシステムで複数の金庫を管理したものは存在しない。
【産業上の利用可能性】
【００３３】
ベッドに電子錠付金庫を脱着できないように取り付け且つ金庫にバイオメトリックスセンサーを組み込使用者個人だけが金庫の開錠出来るようにしたことによって、金庫使用者は安心して自己資産関係帳票や現金を管理することができる。このようなベッドは不特定多数の人が出入りする病院や介護施設のベッドのみならず個人家庭の高齢者用ベッドとしても採用される可能性がある。すなわち昨今の病院内にあっては盗難事故が後を絶たない、このような環境では入院患者は安心して治療を受けることが出来ないのが現状である、このような環境にあって入院患者や受け入れ側の病院も含めてセキュリティ向上の要求が強いので新設病院のベッドや家庭内等での個人使用ベッドに加えて既設のベッドの改造も含めてこのようなベッドの普及の可能性は高い。ベッド改造の場合はバイオメトリックスセンサーを備えた電子錠付金庫を既存のベッドに取り付けコンピュータシステムを構築することで達成できるので利用の可能性は更に高くなり、このようなベッドを採用する病院、施設の範囲は非常に大きくなる。
【図面の簡単な説明】
【００３４】
【図１】指紋認識装置を組み込んだ金属製金庫の図である。（実施例１）
【図２】実施例１のベッドで図１の金庫を鉄製ベッドのフレームに固定した状況を示す図である。
【図３】木製ベッドの木製フレームに金庫を取り付けた状況を示す図である。（実施例１）
【図４】指紋認識センサー付金庫の取り付け位置の範囲を示す図である。（実施例１）
【図５】暗証番号打ち込みテンキーを組み込んだ金庫の図である。（実施例２）
【図６】リード線付テンキーの図である。（実施例２）
【図７】ベッドに生態特徴認識センサーとテンキーを一体的に組み込んだ金庫を取り付けた図である。      （実施例２）
【図８】収納棚付木製ベッド（宮付ベッド）の収納棚に生態特徴認識センサーとテンキーを一体的に組み込んだ金庫を取り付けた例である。（実施例２）
【図９】床頭台（ナイトテーブル）に生態特徴認識センサーとテンキーを一体的に組み込んだ金庫を取り付けた図である。（実施例２）
【図１０】ベッド附属チェストに生態特徴認識センサーとテンキーを一体的に組み込んだ金庫を取り付けた例である。（実施例２）
【図１１】生態特徴認識センサーとしてアイリス（虹彩パターン認識センサー）の覗き窓と認証開始スイッチを一体に備えたアイリス撮影用カメラを組み込んだ金庫を金属製フレームベッドに溶接した金庫取り付け金具を介して取り付けた図である。（実施例３）
【図１２】木製ベッドに生態特徴認識センサーとしてアイリス（虹彩パターン認識センサー）の覗き窓と認証開始スイッチを一体に備えたアイリス撮影用カメラを組み込んだ金庫を宮付ベッドの飾り棚に組み込んだ例である。（実施例３）
【図１３】金庫を開錠するに必要なコンピュータシステムの説明図である。
【図１４】逆回転防止ビス又はネジの回転部の詳細と金属製金庫の取り付け穴の詳細を示す図である。
【図１５】従来のセフティボックスの図である。（実施例４）
【符号の説明】
【００３５】
１    指紋認識センサー
２    収納ボックス（引き出し）
３    金属フレームベッド
４    木製フレームベッド
５    金庫取り付け範囲（暗証番号打ち込みテンキーなしの場合）
６    テンキー（金庫組み込み）
７    テンキー（リード線付）
８    飾り棚付（宮付）ベッド
９    床頭台（ナイトテーブル）
１０    チェスト
１１    アイリス撮影用カメラ認証開始スイッチ
１２    アイリス撮影用カメラ覗き窓
１３    コンピュータ
１４    バイオメトリックスパターン登録機
１５    管理金庫付ベッド群
１６    逆回転防止ネジ（ビス）
１７    金庫取り付けビス穴
１８    従来型セフティボックス
１９    符号キー
【図１】
2005185628.tif 000003
【図２】
2005185628.tif 000004
【図３】
2005185628.tif 000005
【図４】
2005185628.tif 000006
【図５】
2005185628.tif 000007
【図６】
2005185628.tif 000008
【図７】
2005185628.tif 000009
【図８】
2005185628.tif 000010
【図９】
2005185628.tif 000011
【図１０】
2005185628.tif 000012
【図１１】
2005185628.tif 000013
【図１２】
2005185628.tif 000014
【図１３】
2005185628.tif 000015
【図１４】
2005185628.tif 000016
【図１５】
2005185628.tif 000017